(57)【要約】【課題】必要な撮影のみを行い、撮影効率を向上させる。【解決手段】撮影装置１では、カメラ不１４により複数の撮影条件で仮撮影を行い、画像処理部１７により仮撮影で得られた撮影画像から各撮影条件に応じたプレビュー画像を生成して、表示部１２の子画面上に表示させ、この各プレビュー画像の中から所望の撮影条件のものが入力部１３を介してユーザにより選択され、撮影が指示されると、当該撮影条件でカメラ部１４により本撮影が行われる。【選択図】図１
2006261915.tif 000002
【特許請求の範囲】
【請求項１】
撮影条件の設定が指示されると、予め定められた複数の撮影条件により仮撮影を行う撮影手段と、
前記仮撮影により得られた撮影画像に基づいて前記複数の撮影条件に応じたプレビュー画像をそれぞれ生成する画像生成手段と、
本撮影の撮影条件の選択候補として、複数の子画面上に前記複数のプレビュー画像を表示する表示手段と、
前記プレビュー画像により本撮影時の撮影条件を選択するための選択手段と、を備え、
前記撮影手段は、前記選択手段により選択されたプレビュー画像に対応する撮影条件で本撮影を行うことを特徴とする撮影装置。
【請求項２】
ブラケット撮影における複数の撮影条件の設定情報を入力するための入力手段と、
前記入力された撮影条件の設定情報に従って仮撮影を行う撮影手段と、
前記仮撮影により得られた撮影画像に基づいて前記複数の撮影条件に応じたプレビュー画像をそれぞれ生成する画像生成手段と、
本撮影の撮影条件の選択候補として、複数の子画面上に前記複数のプレビュー画像を表示する表示手段と、
前記プレビュー画像により本撮影時の撮影条件を一又は複数選択するための選択手段と、を備え、
前記撮影手段は、前記選択された一又は複数の撮影条件により本撮影を行うことを特徴とする撮影装置。
【請求項３】
前記表示手段は、表示画面全体に前記撮影手段により得られるスルー画像を表示し、
前記撮影手段は、前記選択手段によりプレビュー画像が選択された状態で本撮影が指示されると、本撮影を行うことを特徴とする請求項１又は２に記載の撮影装置。
【請求項４】
前記表示手段は、前記プレビュー画像と対応付けてその撮影条件の情報を表示することを特徴とする請求項１〜３の何れか一項に記載の撮影装置。
【請求項５】
前記表示手段は、前記選択手段により選択されたプレビュー画像に対して、本撮影を行うことを示す識別情報を表示することを特徴とする請求項１〜４の何れか一項に記載の撮影装置。
【請求項６】
前記プレビュー画像にその撮影条件に応じた画像処理を施す画像処理手段を備え、
前記表示手段は、前記画像処理が施されたプレビュー画像を表示することを特徴とする請求項１〜５の何れか一項に記載の撮影装置。
【発明の詳細な説明】
【技術分野】
【０００１】
本発明は、異なる撮影条件で撮影を行うことが可能な撮影装置に関する。
【背景技術】
【０００２】
従来から、撮影時の彩度、コントラスト、ホワイトバランス等の各種の撮影パラメータを変えて撮影を行いたいという要望があり、まず予備撮影を行ってその撮影結果を確認した後に、ユーザが撮影パラメータを修正することができる撮影装置が開発されている（例えば、特許文献１参照）。
【０００３】
また、同じ被写体について異なる撮影条件の撮影パラメータを生成するブラケット撮影が可能な撮影装置もある。ブラケット撮影によれば、様々な撮影条件による効果を比較することができたり、それらの撮影画像の中から好適なものを選ぶことができ、便利である。
【０００４】
ブラケット撮影時には、図７に示すような撮影パラメータの設定画面が表示され、ユーザが撮影枚数及び撮影条件のパラメータのシフト量を選択することができる。撮影装置では、ユーザにより選択された撮影枚数に応じて選択されたシフト量づつパラメータ値が自動的にシフトされ、各撮影についてパラメータ値が割り当てられる。図７の例では、彩度のパラメータについて、撮影枚数「５」、シフト量「１」と設定されており、この場合、撮影装置では５回の撮影について１づつパラメータ値がシフトされ、−２、−１、０、＋１、＋２の各パラメータ値が設定されることとなる。
【特許文献１】特開２００１−２１１３５９号公報
【発明の開示】
【発明が解決しようとする課題】
【０００５】
しかし、所定量づつシフトさせた撮影パラメータの全てについて撮影を行うと撮影枚数が多くなり、ユーザはその全ての撮影画像をチェックしなければならないため、煩雑である。また、ブラケット撮影後、不要な撮影条件の撮影画像を消去する作業を行わなければならず、作業負担が大きい。
【０００６】
さらに、図８に示すように、撮影モードに設定するとまずスルー画像（カメラにより取り込まれてそのまま表示される画像）が表示される。ここから撮影条件を設定して実際に撮影を行うには、上記の設定画面に移行してパラメータを設定した後、一度設定画面を閉じて再度撮影モードに切り替えなければならず、操作が煩雑であった。
【０００７】
本発明の課題は、必要な撮影のみを行い、撮影効率を向上させることができるようにすることである。
【課題を解決するための手段】
【０００８】
請求項１記載の発明は、撮影条件の設定が指示されると、予め定められた複数の撮影条件により仮撮影を行う撮影手段と、前記仮撮影により得られた撮影画像に基づいて前記複数の撮影条件に応じたプレビュー画像をそれぞれ生成する画像生成手段と、本撮影の撮影条件の選択候補として、複数の子画面上に前記複数のプレビュー画像を表示する表示手段と、前記プレビュー画像により本撮影時の撮影条件を選択するための選択手段と、を備え、前記撮影手段は、前記選択手段により選択されたプレビュー画像に対応する撮影条件で本撮影を行うことを特徴とする。
【０００９】
請求項２記載の発明は、ブラケット撮影における複数の撮影条件の設定情報を入力するための入力手段と、前記入力された撮影条件の設定情報に従って仮撮影を行う撮影手段と、前記仮撮影により得られた撮影画像に基づいて前記複数の撮影条件に応じたプレビュー画像をそれぞれ生成する画像生成手段と、本撮影の撮影条件の選択候補として、複数の子画面上に前記複数のプレビュー画像を表示する表示手段と、前記プレビュー画像により本撮影時の撮影条件を一又は複数選択するための選択手段と、を備え、前記撮影手段は、前記選択された一又は複数の撮影条件により本撮影を行うことを特徴とする。
【発明の効果】
【００１０】
請求項１記載の発明によれば、仮撮影により得られた撮影画像に基づいて異なる複数の撮影条件を反映した複数のプレビュー画像を生成して表示し、プレビュー画像により選択された撮影条件により本撮影を行うので、ユーザはプレビュー画像により各撮影条件による撮影効果を確認した上で本撮影時の撮影条件を選択することができ、本撮影前に予め所望の撮影条件を選択することにより、必要な撮影のみを行うことができ、撮影効率を向上させることができる。
【００１１】
請求項２記載の発明によれば、仮撮影により得られた撮影画像に基づいて異なる複数の撮影条件を反映した複数のプレビュー画像を生成して表示し、プレビュー画像により選択された一又は複数の撮影条件によりブラケット本撮影を行うので、ユーザはプレビュー画像により各撮影条件による撮影効果を確認した上で本撮影時の撮影条件を選択することができ、本撮影前に予め所望の撮影条件だけを選択することにより、必要な撮影のみを行うことができ、ブラケット撮影時の撮影効率を向上させることができる。
【００１２】
請求項３記載の発明によれば、小画面にプレビュー画像を表示した状態で表示画面全体にスルー画像を表示し、プレビュー画像が選択された状態で本撮影が指示されたことをトリガーとして本撮影を行うので、ユーザはプレビュー画像により撮影条件を選択した後、スルー画像により被写体をとらえて撮影を指示することによってすぐに撮影工程に移ることができ、操作性及び撮影効率を向上させることができる。
【００１３】
請求項４記載の発明によれば、ユーザはプレビュー画像とともにその撮影条件を把握することができる。
【００１４】
請求項５記載の発明によれば、識別情報によりどの撮影条件を選択したのかを容易に把握することができる。
【００１５】
請求項６記載の発明によれば、プレビュー画像にその撮影条件による撮影効果を強調するような画像処理を施すことができるので、プレビュー画像の表示サイズが小さい場合であっても、ユーザはその撮影条件による撮影効果を把握しやすくなる。
【発明を実施するための最良の形態】
【００１６】
〈第１実施形態〉
第１実施形態では、一回の撮影で一の撮影画像を得る通常撮影の際に、複数の撮影条件で仮撮影を行い、仮撮影で得られた撮影画像から各撮影条件に応じたプレビュー画像を生成して子画面上に表示させ、この各プレビュー画像の中から所望の撮影条件のものがユーザにより選択され、撮影が指示されると、当該撮影条件で本撮影に移行する例を説明する。
【００１７】
なお、以下の説明において、ブラケット撮影とは、同一の被写体を撮影対象としてそれぞれ異なる撮影条件により複数のブラケット画像を生成することをいう。ブラケット撮影には、撮影条件を変更しながら複数回連続撮影を行って各撮影により複数のブラケット画像を生成する方法と、一回だけ撮影を行い、この撮影により得られた撮影画像に撮影条件に応じた画像処理を施すことによって複数のブラケット画像を生成する方法とが含まれる。前者は絞りやシャッタースピード等の撮影時に変更が必要な撮影条件の場合に適用され、後者は彩度やコントラスト等の画像処理が必要な撮影条件の場合に適用される。また、ブラケット画像とは、ブラケット撮影により生成された複数の撮影画像をいい、それらは各ブラケット画像について設定された異なる撮影条件のパラメータに応じて撮影又は画像処理されているものである。
【００１８】
まず、構成を説明する。
図１に、第１実施形態における撮影装置１の内部構成を示す。
撮影装置１としては、デジタルカメラ、デジタルビデオカメラ、カメラ機能を有する携帯電話、ＰＤＡ（Personal Digital Assistant）等の携帯端末、カメラを備えたパーソナルコンピュータ等の情報処理装置を適用することができる。
【００１９】
図１に示すように、撮影装置１は、ＣＰＵ（Central Processing Unit）１１、表示部１２、入力部１３、カメラ部１４、ＲＡＭ（Random Access Memory）１５、記憶部１６、画像処理部１７を備えて構成されており、各部はバス１８を介して接続されている。
【００２０】
ＣＰＵ１１は、記憶部１６から本発明に係る通常撮影処理プログラム（図３参照）等の各種制御プログラムを読み出し、当該プログラムに従って各種演算や判断を行うとともに、処理の実行を統括的に制御する。なお、処理の内容については後述する。
【００２１】
表示部１２は、ＬＣＤ（Liquid Crystal Display）等のディスプレイを備えて構成される表示手段であり、ＣＰＵ１１の表示制御に従ってこのディスプレイ上にメニュー画面や、撮影時の撮影条件を設定するための設定画面等の各種操作画面、撮影により生成された撮影画像等を表示させる。
【００２２】
入力部１３は、撮影を指示操作するためのシャッターボタン、選択操作を行うためのカーソルキー、確定操作を行うための決定キー、撮影モード、再生モード等の動作モードを切り替えるためのモード切替キー、プレビュー表示の指示手段であるプレビューボタン等、各種操作ボタンを備えて構成される入力手段である。入力部１３は、操作されたボタンに対応する操作信号を生成してＣＰＵ１１に出力する。
【００２３】
カメラ部１４は、ＣＰＵ１１による制御に従って撮影を行い、その撮影画像のデータを生成するものである。カメラ部１４は、例えば撮影レンズ、絞り機構、撮像素子、駆動回路、アナログ処理回路、Ａ／Ｄ変換回路、バッファレジスタ、信号処理回路等から構成される。
【００２４】
カメラ部１４による撮影方法について説明する。
まず被写体像（被写体の光学像）がカメラ部１４に入光すると、当該被写体像は撮影レンズ及び絞り機構を介してＣＣＤ（Charge Coupled Device）等の撮像素子上に結像される。撮像素子では、被写体像が結像されることによりその光量に応じた電荷が蓄積され、当該蓄積された電荷は駆動回路から与えられる駆動パルス信号によって順次読み出されてアナログ処理回路に出力される。アナログ処理回路では、色分離やゲイン調整、ホワイトバランス等の各種信号処理が行われ、当該処理された信号はＡ／Ｄ変換回路を介してデジタルデータのフレーム画像（静止画）としてバッファレジスタに記憶される。次いで、バッファレジスタに記憶されたフレーム画像は、信号処理回路において輝度信号及び色差信号に変換され、バス１８を介して図１に示したＲＡＭ１５に出力される。
【００２５】
ＲＡＭ１５は、一時的な記憶領域をＣＰＵ１１に提供するワークメモリである。
【００２６】
記憶部１６は、各種制御プログラムを記憶しているとともに、処理に必要なパラメータや、処理結果等の各種データを記憶している。
また、記憶部１６は、ブラケット設定ファイル１６１、通常撮影設定ファイル１６２、シフト定義ファイル１６３、画像ファイル１６４を含む各ファイルを記憶している。
【００２７】
ブラケット設定ファイル１６１は、ブラケット撮影における各撮影条件のパラメータ値の設定情報が記憶されたファイルである。
ブラケット設定ファイル１６１には、図２に示すように、ブラケット撮影における撮影順番毎に、彩度、コントラスト、シャープネス（鮮鋭性）、フィルタ、色強調の各撮影条件について設定されたパラメータ値が記憶されている。例えば、撮影順番１の場合、彩度「−２」、コントラスト「−２」、シャープネス「−２」、フィルタ、色強調「ＯＦＦ（設定しない）」の各パラメータ値に設定されている。
【００２８】
通常撮影設定ファイル１６２は、ブラケット撮影ではなく、通常の撮影を行う際の撮影条件の設定情報を管理するためのものである。つまり、通常撮影設定ファイル１６２は、図２に示すブラケット設定ファイル１６１において撮影順番の項目を削除したものと同一のファイル構成であり、一回分の撮影についての撮影条件だけが記憶されていることとなる。
【００２９】
シフト定義ファイル１６３は、撮影装置１側でブラケット撮影時の撮影パラメータのシフト量を自動的に設定する場合におけるそのシフト量が規定されたファイルである。例えば、彩度のパラメータについて「−２〜２」の範囲内でシフト量「１」と定義されている場合には、各撮影について「−２」、「−１」、「０」、「＋１」、「＋２」とパラメータ値が割り振られることとなる。
【００３０】
画像ファイル１６３は、カメラ部１４により生成された撮影画像のデータを管理するためのファイルである。
なお、可搬型の外部メモリを接続可能とし、この外部メモリに画像ファイル１６３を記憶させることとしてもよい。
【００３１】
画像処理部１７は、ＣＰＵ１１の指示に従って、撮影画像に各種画像処理を施す。画像処理としては、例えば階調変換処理、鮮鋭性調整処理、色変換処理等が挙げられる。
【００３２】
次に、上記撮影装置１の動作について説明する。
図３は、撮影装置１により通常撮影モード時に実行される通常撮影処理を説明するフローチャートである。
図３に示す通常撮影処理では、まず入力部１３を介して撮影条件の設定メニューの表示が指示されたか否かがＣＰＵ１１により判別され（ステップＡ１）、他のメニュー表示が指示された場合には（ステップＡ１；Ｎ）、指示されたメニューの表示処理に移行する。一方、撮影条件の設定メニューが表示された場合には（ステップＡ１；Ｙ）、ステップＡ２の処理に移行する。ここでは、撮影条件として彩度を設定するメニュー表示が指示されたこととして説明する。
【００３３】
撮影条件の設定メニューの表示が指示されると、ＣＰＵ１１の制御によりカメラ部１４において仮撮影が行われる（ステップＡ２）。仮撮影は、ユーザによりシャッターボタンを押下されたタイミングで行うこととしてもよいし、メニュー表示の指示から所定時間後に自動的に撮影装置１において行うこととしてもよい。仮撮影によりカメラ部１４で撮影画像のデータが生成されると、当該撮影画像はＲＡＭ１５に一時記憶される（ステップＡ３）。
【００３４】
次いで、ＣＰＵ１１によりシフト定義ファイル１６２が読み出され、当該シフト定義ファイル１６２に従って彩度のパラメータ値が所定量づつシフトされた各パラメータ値が得られる。そして、ＲＡＭ１５から撮影画像が読み出され、当該撮影画像に各彩度パラメータ値に応じた色変換処理と縮小処理が画像処理部１７により施され、それぞれのパラメータ値に対応する縮小画像（これをプレビュー画像という）が生成される（ステップＡ４）。
【００３５】
なお、本実施形態では、画像処理に係る彩度の撮影条件の例で説明しているため、１回の撮影で得られた撮影画像に画像処理を施して異なる複数の彩度のパラメータに対応するプレビュー画像を生成することとしている。しかし、例えば絞りやシャッタースピード等、撮影時に変更が必要な撮影条件の場合には、まずシフト定義ファイル１６３を読み出して複数のパラメータ値を設定し、これらのパラメータ値に変更しながら複数回連続して撮影を行って各パラメータ値に対応する撮影画像を得てそれを縮小したプレビュー画像を得ることとする。
【００３６】
次いで、ＣＰＵ１１の表示制御により、スルー画像が表示部１３の表示画面全体に表示される。スルー画像とは、カメラ部１４により生成されたフレーム画像が保存することなく表示される画像をいう。そして、ＣＰＵ１１の表示制御により、そのスルー画像上に小画面が設けられ、当該小画面上に前記生成されたプレビュー画像が撮影条件の選択情報として表示される（ステップＡ５）。
【００３７】
図４に、プレビュー画像の表示例を示す。
例えば、彩度のパラメータ値が「−２」、「−１」、「０」、「＋１」、「＋２」に割り振られた場合、図４に示すように各パラメータ値により画像処理されたプレビュー画像ｘ１１〜ｘ１５が小画面上に表示される。各プレビュー画像ｘ１１〜ｘ１５の下部には、その彩度のパラメータ値の情報Ｐが対応づけて表示されている。
【００３８】
また、これらプレビュー画像ｘ１１〜ｘ１５は、本撮影時の撮影条件を選択するための選択情報としての機能も有している。すなわち、ユーザが所望のプレビュー画像ｘ１１〜ｘ１５にカーソルを合わせることにより、そのプレビュー画像の彩度のパラメータを本撮影時の撮影条件として選択することができる。そして、スルー画像により被写体を確認し、本撮影を行う場合にはその状態でシャッターボタンを押下する。
【００３９】
撮影装置１では、図３のステップＡ５において、プレビュー画像が表示された状態で、入力部１３を介してカーソルキーが操作されると（ステップＡ６；Ｙ）、その操作量に応じてＣＰＵ１１の表示制御により、カーソルがプレビュー画像上を移動されて表示される（ステップＡ７）。そして、入力部１３を介してシャッターボタンが押下操作されると（ステップＡ８；Ｙ）、カメラ部１４により本撮影が行われるとともに（ステップＡ９）、選択されたプレビュー画像に対応する彩度のパラメータ値が通常撮影設定ファイル１６２に記憶される（ステップＡ１０）。
【００４０】
次いで、本撮影により生成された撮影画像がＲＡＭ１４に一時記憶されると（ステップＡ１１）、画像処理部１７により通常撮影設定ファイル１６２に記憶された彩度のパラメータ値に応じた色変換処理が当該撮影画像に対して施される。そして、画像処理後の撮影画像が確認用に表示部１２上に表示される（ステップＡ１２）。
【００４１】
なお、仮撮影の場合と同様に、本実施形態では画像処理に係る彩度の撮影条件の例で説明しているため、撮影を行った後に選択されたプレビュー画像に対応する彩度のパラメータ値に応じた画像処理を施すことにより、選択されたパラメータ値を撮影画像に反映することとしている。しかし、例えば絞りやシャッタースピード等、撮影時に変更が必要な撮影条件の場合には、選択されたプレビュー画像に対応するパラメータ値で撮影が行われ、撮影時にプレビュー画像により選択されたパラメータ値が反映される。つまり、画像処理に係る撮影条件の場合と処理が若干異なることとなる。
【００４２】
確認用に撮影画像が表示されると、ＣＰＵ１１の表示制御によりメッセージ「保存しますか？」が表示部１２上に表示される（ステップＡ１３）。ユーザは表示された撮影画像の画質等を確認の結果、その撮影画像でよければ保存の指示操作を行い、撮影画像に不満があれば撮り直しの指示操作を行う。
【００４３】
撮影装置１では、ユーザにより撮影画像の保存ではなく、撮り直しが指示操作されると（ステップＡ１４；Ｎ）、ステップＡ４の処理に戻り、プレビュー画像が再表示されて他の彩度パラメータ値による本撮影が繰り返される。一方、撮影画像の保存が指示操作されると（ステップＡ１４；Ｙ）、ＣＰＵ１１の制御によりＲＡＭ１５に一時記憶されていた撮影画像が記憶部１６の画像ファイル１６４に記憶される（ステップＡ１５）。そして、表示部１２においてメッセージ「撮影画像を保存しました」が表示されると（ステップＡ１６）、本処理を終了する。
【００４４】
以上のように、第１実施形態によれば、撮影条件を設定する際にまず仮撮影を行い、得られた撮影画像に基づいて異なる撮影条件を反映した複数のプレビュー画像を生成する。そして、これらのプレビュー画像を各撮影条件の選択候補として表示し、このプレビュー画像により選択された撮影条件で本撮影を行うので、ユーザは本撮影前に、プレビュー画像により各異なる撮影条件の撮影効果を確認した上で本撮影時の撮影条件を選択することができる。
【００４５】
また、プレビュー画像は縮小画像であるので、表示するまでの時間を短縮化することができる。さらに、プレビュー画像の背景にスルー画像を表示し、プレビュー画像が選択された状態でシャッターボタンが押下されると、そのまま本撮影を行うので、ユーザはスルー画像により被写体をとらえると、すぐ本撮影に移ることができる。従来は、撮影条件を設定した後、一旦撮影モードに設定し直してから撮影に移らなければならなかったため、操作が煩雑であったが、本発明によれば撮影条件を選択した後、すぐに撮影を行うことができ、操作性が良いとともに撮影効率が良い。
【００４６】
なお、本実施形態における撮影装置１は、本発明を適用した好適な一例であり、これに限定されるものではない。
例えば、プレビュー画像は仮撮影を行って得られた撮影画像を用いて生成することとしたが、実際に撮影を行わずに予めサンプル画像を用意しておき、これをプレビュー画像として表示することとしてもよい。
【００４７】
また、プレビュー画像により撮影条件を選択する際に、選択されたプレビュー画像の撮影条件により本撮影を行うことを示す識別情報として、マーカを表示することとしてもよい。この場合、ユーザは本撮影が行われる撮影条件を容易に把握することができる。
【００４８】
また、スルー画像を全画面に表示し、その上にプレビュー画像を子画面で表示することとしたが、ユーザの操作に応じてこの全画面及び子画面の表示を切り替えることとしてもよい。つまり、ユーザにより切替表示が指示操作されると、子画面に表示していた複数のプレビュー画像を画面全体に順次切り替え表示する。或いは、子画面で表示したプレビュー画像を指示操作に応じて拡大表示することとしてもよい。これにより、プレビュー画像を拡大表示させることができ、撮影効果を確認しやすくなる。
【００４９】
また、プレビュー画像は子画面で表示されるが、表示部１２の画面サイズが小さい場合にはブレビュー画像も小さくなってしまう。これでは、撮影効果を確認しづらい場合があるので、画像処理部１７によりプレビュー画像にその撮影効果を強調する画像処理を施すこととしてもよい。例えば、水しぶきを撮影する場合、水滴をとらえた画像を撮影するためにシャッタースピードが早く設定された場合には、鮮鋭性調整処理によりシャープネス（鮮鋭性）を強調したり、水が流れる様子を表現するためシャッタースピードが遅く設定されると、シャープネスを低下させる。これにより、撮影効果が強調されるので、プレビュー画像の表示サイズが小さくても撮影効果を把握することができる。
【００５０】
また、上記の例では、彩度の撮影条件のみを設定する例を説明したが、これに限らず、絞りやシャッタースピード、ホワイトバランス、コントラスト、色フィルタ、シャープネス（鮮鋭性）等の各撮影条件を組み合わせて設定可能とし、設定された撮影条件を反映したプレビュー画像を表示させることとしてもよい。これにより、他の撮影条件による撮影効果についても容易に確認することができる。
【００５１】
〈第２実施形態〉
第２実施形態では、ブラケット撮影を行う際に、仮撮影を行って複数の撮影条件によるプレビュー画像を生成して各撮影条件の選択候補として表示し、このプレビュー画像により選択された撮影条件のみにより本撮影を行う例を説明する。
【００５２】
まず、構成を説明する。
第２実施形態における撮影装置は、第１実施形態に示した撮影装置１（図１参照）とその基本構成は同一であるため、同一構成部には第１実施形態の撮影装置１と同一の符号を付してその図示を省略し、異なる機能部分についてのみ説明する。すなわち、第２実施形態における撮影装置１は、ＣＰＵ１１、表示部１２、入力部１３、カメラ部１４、ＲＡＭ１５、記憶部１６、画像処理部１７を備えて構成されている。
【００５３】
ＣＰＵ１１は、記憶部１６から第２実施形態に特有のブラケット撮影処理プログラム（図５参照）を読み出し、その処理の実行を統括的に制御する。
【００５４】
次に、動作を説明する。
図５は、撮影装置１によりブラケット撮影モード時に実行されるブラケット撮影処理を説明するフローチャートである。
図５に示すブラケット撮影処理では、まずブラケット撮影時の撮影条件を設定するためのブラケットメニュー画面が表示部１２に表示される（ステップＢ１）。ブラケットメニュー画面では、各撮影条件のパラメータシフト量及び撮影回数の入力領域が表示されるので、ユーザは所望のパラメータシフト量及び撮影回数を入力する。
【００５５】
撮影装置１では、入力部１３を介して入力されたパラメータシフト量及び撮影回数に応じて、各撮影に対して各撮影条件のパラメータ値がシフトされて割り振られ、その設定値がブラケット設定ファイル１６１に記憶される（ステップＢ２）。設定が終了すると、カメラ部１４により画像取り込みが開始され、そのスルー画像が表示部１２に表示される（ステップＢ２）。
【００５６】
この状態でプレビューボタンがユーザにより押下操作されると（ステップＢ４；Ｙ）、ＣＰＵ１１によりブラケット設定ファイル１６１が読み出され、当該ファイルに記憶されているパラメータ値に基づいてブラケット撮影による仮撮影（以下、ブラケット仮撮影という）が行われる（ステップＢ５）。ブラケット仮撮影では、設定された撮影条件の中に撮影時に係る条件（例えば、露出条件）が含まれていれば、その撮影条件に応じて複数回撮影が行われるが、画質に係る条件（例えば、彩度、コントラスト等）、つまり画像処理により対応する撮影条件のみの場合は、撮影は１回のみとする。この場合、その撮影画像にに撮影条件に応じた画像処理を施して、各撮影条件に対応するブラケット画像を得る。
【００５７】
仮撮影により得られた撮影画像はＲＡＭ１５に一時記憶される（ステップＢ６）。次いで、ブラケット設定ファイル１６１に記憶されたパラメータ値に基づいて、画像処理部１７により撮影画像に必要な画像処理が施され、縮小処理が施されてプレビュー画像が生成される。必要な画像処理とは、色変換処理等、前述したように画質に係る撮影条件に応じた処理である。そして、ＣＰＵ１１の表示制御により、スルー画面上に小画面が複数設けられ、この小画面に生成されたプレビュー画像が表示される（ステップＢ７）。
【００５８】
図６に、上記プレビュー画像の表示例を示す。
図６に示すように、スルー画像Ｘ２が表示画面全体に表示され、複数設けられた小画面上にブラケット撮影により得られた複数のプレビュー画像ｘ２１〜ｘ２５が表示されている。各プレビュー画像ｘ１２〜ｘ２５の下部にはその撮影条件を示す情報Ｐが各プレビュー画像に対応づけて表示されている。
【００５９】
また、これらプレビュー画像ｘ２１〜ｘ２５は、本撮影時の撮影条件を選択するための選択情報としての機能も有している。すなわち、ユーザが所望のプレビュー画像にカーソルを合わせることにより、本撮影時の撮影条件を選択することができる。プレビュー画像は一又は複数選択可能である。そして、そして、スルー画像により被写体を確認し、本撮影を行う場合にはその状態でシャッターボタンを押下する。
【００６０】
撮影装置１では、入力部１３を介してカーソルによりプレビュー画像の選択操作がなされると（ステップＢ８；Ｙ）、図６に示すように、ＣＰＵ１１の表示制御により選択されたプレビュー画像ｘ２１〜２５上にその撮影条件で本撮影を行うことを示す識別情報として撮影マークＭが表示される（ステップＢ９）。
【００６１】
そして、プレビュー画像が選択された状態でシャッターボタンが押下操作されると（ステップＢ１０；Ｙ）、選択されたプレビュー画像の撮影条件のみによりブラケット撮影の本撮影（以下、ブラケット本撮影という）が行われる（ステップＢ１０）。このブラケット本撮影の場合も仮撮影時と同様に、撮影条件が撮影時に係る条件を含むか、画像処理に係る条件のみかにより撮影及び画像の生成工程が異なってくるのは、前述したとおりである。
【００６２】
ブラケット本撮影により生成された撮影画像は、ＲＡＭ１５に一時記憶される（ステップＢ１２）。次いで、ブラケット設定ファイル１６１に記憶された各パラメータに応じて画像処理部１７により当該撮影画像に必要な画像処理が施された後、その画像処理後の撮影画像が確認用に表示部１２に表示される（ステップＢ１２）。次いで、ＣＰＵ１１の表示制御により、メッセージ「撮影画像を保存しますか？」が表示部１３上に表示され（ステップＢ１３）、保存が指示されると（ステップＢ１４；Ｙ）、ＲＡＭ１５に記憶されていた撮影画像が記憶部１６の画像ファイル１６４に記憶され、保存処理が行われる（ステップＢ１５）。そして、メッセージ「撮影画像を保存しました」が表示部１２に表示されると（ステップＢ１６）、本処理を終了する。
【００６３】
一方、撮影画像の保存が指示されなかった場合（ステップＢ１４；Ｎ）、ＲＡＭ１５内の撮影画像の画像ファイル１６４への保存は行われず、メッセージ「画像を削除しました」が表示部１２に表示されて（ステップＢ１７）、本処理を終了する。すなわち、撮影画像は上書き可能な状態でＲＡＭ１５に記憶されることとなる。
【００６４】
以上のように、第２実施形態によれば、ブラケット仮撮影により、複数の異なる撮影条件が反映されたプレビュー画像を生成する。そして、これらのプレビュー画像を本撮影時の撮影条件の選択候補として表示し、このプレビュー画像により選択された撮影条件で本撮影を行うので、ユーザは本撮影前に、プレビュー画像により異なる撮影条件の撮影効果を確認した上で本撮影時の撮影条件を選択することができる。これにより、ブラケット撮影を行う際にはユーザが必要とする撮影条件のみの撮影となるので、後に不要な撮影分の撮影画像を削除する等の手間が省け、撮影効率を向上させることができる。
【００６５】
また、プレビュー画像の背景にスルー画像を表示し、プレビュー画像が選択された状態でシャッターボタンが押下されると、そのままブラケット本撮影を行うので、ユーザはスルー画像により被写体をとらえると、すぐ本撮影に移ることができる。従来は、撮影条件を設定した後、一旦撮影モードに設定し直してから撮影に移らなければならなかったため、操作が煩雑であったが、本発明によれば撮影条件を選択した後、すぐに撮影を行うことができ、操作性が良いとともに撮影効率が良い。
【００６６】
また、選択したプレビュー画像には、撮影マーカＭが付されて表示されるので、ユーザはどのプレビュー画像が既に選択済みであるかを容易に把握することができる。
【００６７】
なお、第２実施形態における撮影装置１は、本発明を適用した好適な一例であり、これに限定されるものではない。
例えば、スルー画像を全画面に表示し、その上にプレビュー画像を子画面で表示することとしたが、ユーザの操作に応じてこの全画面及び子画面の表示を切り替えることとしてもよい。つまり、ユーザにより切替表示が指示操作されると、子画面に表示していた複数のプレビュー画像を画面全体に順次切り替え表示する。或いは、子画面で表示したプレビュー画像を指示操作に応じて拡大表示することとしてもよい。これにより、プレビュー画像を拡大表示させることができ、撮影効果を確認しやすくなる。
【００６８】
また、プレビュー画像は子画面で表示されるが、表示部１２の画面サイズが小さい場合にはブレビュー画像も小さくなってしまう。これでは、撮影効果を確認しづらい場合があるので、画像処理部１７によりプレビュー画像にその撮影効果を強調する画像処理を施すこととしてもよい。例えば、水しぶきを撮影する場合、水滴をとらえた画像を撮影するためにシャッタースピードが早く設定された場合には、鮮鋭性調整処理によりシャープネス（鮮鋭性）を強調したり、水が流れる様子を表現するためシャッタースピードが遅く設定されると、シャープネスを低下させる。これにより、撮影効果が強調されるので、プレビュー画像の表示サイズが小さくても撮影効果を把握することができる。
【００６９】
また、上記の例では、彩度の撮影条件のみを設定する例を説明したが、これに限らず、絞りやシャッタースピード、ホワイトバランス、コントラスト、色フィルタ、シャープネス（鮮鋭性）等の各撮影条件を組み合わせて設定可能とし、設定された撮影条件を反映したプレビュー画像を表示させることとしてもよい。これにより、他の撮影条件による撮影効果についても容易に確認することができる。
【図面の簡単な説明】
【００７０】
【図１】本発明に係る撮影装置の内部構成を示す図である。
【図２】図１の記憶部に記憶されるブラケット設定ファイルのファイル構成例を示す図である。
【図３】撮影装置により実行される通常撮影処理を説明するフローチャートである。
【図４】プレビュー画像の表示例を示す図である。
【図５】撮影装置により実行されるブラケット撮影処理を説明するフローチャートである。
【図６】プレビュー画像例を示す図である。
【図７】従来の撮影装置における撮影パラメータの設定画面を示す図である。
【図８】従来の撮影装置における撮影モードの表示状態を示す図である。
【符号の説明】
【００７１】
１    撮影装置
１１    ＣＰＵ
１２    表示部
１３    入力部
１４    カメラ部
１５    ＲＡＭ
１６    記憶部
１６１    ブラケット設定ファイル
１６２    通常撮影設定ファイル
１６４    画像ファイル
１７    画像処理部
【図１】
2006261915.tif 000003
【図２】
2006261915.tif 000004
【図３】
2006261915.tif 000005
【図４】
2006261915.tif 000006
【図５】
2006261915.tif 000007
【図６】
2006261915.tif 000008
【図７】
2006261915.tif 000009
【図８】
2006261915.tif 000010